(57)【要約】【課題】  女性が生理用ナプキンを装着着用した時に生理用ナプキンがずれたり生理用ナプキン上に不必要なシワが生じ密着性が下がり生理用ナプキンから経血が漏れたりする事を防ぐとともにできるだけ密着性を高め違和感なく装着することのできる生理用ナプキンを提供する。【解決手段】  生理用ナプキンにおいて、体液透液性表面シートから吸収体に向けて圧搾された圧搾条溝を生理用ナプキンの第１圧搾条溝に挟まれた区間内の中心に対面する女性局部に沿うように縦方向に第２圧搾条溝を設け、第２圧搾条溝前後末端２箇所において、末端を基点として左右両端にある第１圧搾条溝に沿うように半楕円状とした第３圧搾条溝を設けるとともに生理用ナプキンの左右に設けられているウイング部分の前後両端の延長線上に体液透液性表面シートに接する点をｉ点とし、左右に対面するこの２箇所のｉ点を結び外側に弧を描く曲線とした第４圧搾条溝を設ける。【選択図】   図１
2018157959.tif 000002
【特許請求の範囲】
【請求項１】
体液透液性表面シートと吸収体と撥水機能がある体液不透過性裏面シートにて構成され、左右両側縁部それぞれ長さ方向に前記体液透液性表面シートから前記吸収体に向けて圧搾された第１圧搾条溝が設けられている生理用ナプキンにおいて、前記生理用ナプキン両側縁部に設けられた前記第１圧搾条溝に挟まれた区間内の中心に対面する排泄器官である女性局部の形状に沿うように縦方向に前記体液透液性表面シートから前記吸収体に向けて圧搾された第２圧搾条溝を設けることを特徴とする生理用ナプキン。
【請求項２】
前記第２圧搾条溝の溝の幅が０．１mm〜２mmあることを特徴とする請求項１に記載の生理用ナプキン。
【請求項３】
前記生理用ナプキンにおいて、対面する女性局部前後の末端を前記第２圧搾条溝の末端とし、この前記第２圧搾条溝の前後末端２箇所において、前記第２圧搾条溝の末端を中心点として前記生理用ナプキンの左右両端にある前記第１圧搾条溝に沿うように半楕円状とした前記体液透液性表面シートから前記吸収体に向けて圧搾された第３圧搾条溝を設けることを特徴とする生理用ナプキン。
【請求項４】
前記第３圧搾条溝の溝の幅が０．１mm〜２mmであることを特徴とする請求項１に記載の生理用ナプキン。
【請求項５】
前記生理用ナプキンの左右両端に設けられている台形状の形としたウイング部分が設けられているウイング式生理用ナプキンにおいて、左右にある前記ウイング部分の斜めにカットされている前記ウイング前後両端のラインの延長線上にあり前記体液透液性表面シートの端に接した前後左右４箇所の点をｉ点とし、腹部側に対面する左右２箇所のｉ点同士を結び外側に向けて弧を描く曲線とし、尻側に対面する左右２箇所のｉ点同士を結び外側に向けて弧を描く曲線とした前記体液透液性表面シートから前記吸収体に向けて圧搾された第４圧搾条溝を設けることを特徴とする生理用ナプキン。
【請求項６】
前記第４圧搾条溝の溝の幅が０．１mm〜２mmであることを特徴とする生理用ナプキン。
【発明の詳細な説明】
【技術分野】
【０００１】
本発明は、女性の生理において排出される経血を吸収保持する生理用ナプキンに関するものである。
【背景技術】
【０００２】
女性特有の生理において体内から排出される体液である経血を吸収保持する生理用ナプキンは、生理に伴う経血による不快感の改善や生理期間中であっても何不便無く行動できるように経血の吸収性能の向上と経血漏れ対策と装着感が向上された製品が多種開発されてきている。経血の吸収性能の向上から女性局部への生理用ナプキンの密着性を高める為に長さ方向に一対の圧搾条溝を設ける事で体の動きに伴って生じる生理用ナプキンへの捩れに対応することができる。
【０００３】
例えば特許文献１にはナプキンの両側縁部それぞれには表面シートとコアとが裏面シートへ向かってくぼむことによりナプキンの縦方向へ延びる圧搾条溝が形成され、圧搾条溝どうしの間では、ナプキンが表面シートを内側にして縦方向に湾曲したときに、ナプキンの厚み方向において弾性部材の上方に位置する部位が弾性部材の収縮の伴って上方へ移動できるように上方に位置する部位が弾性部材の下方に位置する部位から分離する可能に形成されている生理用ナプキンが提示されている。
【０００４】
特許文献２にはナプキンのコアが位置する領域の上面両側にその長さ方向に延びるとともにその中央部において間隔が狭くなった一対の圧搾条溝を有し、その圧搾条溝は底面の長さ方向へ交互に並列する高圧搾部と低圧搾部を有する圧搾条溝が形成されている生理用ナプキンが提示されている。
【０００５】
特許文献３ではナプキンを構成する吸収性物品は、その表面における左右両側において側縁から内方に向けて一対の疎生性領域が形成され、疎生性領域は吸収性物品の長手方向に沿って形成された連続又は非連続の防漏溝を有し、さらに疎生性領域は、吸収性物品の表面における左右両側にバックシートである防漏溝シートが配され形成されている生理用ナプキンが提示されている。
【０００６】
特許文献４では、両側部上にそれぞれ起立ギャザーが備えられたナプキンにおいて、起立ギャザーが、それぞれ起立基端から外方向に突出する内側起立ギャザーと起立基端が内側起立ギャザーの起立基端よりも外側に位置し、内側起立ギャザーよりも上方まで突出するとともに、少なくともこの上方に突出する部位の突出方向が内方向である外側起立ギャザーで構成される生理用ナプキンが提示されている。
【０００７】
ところが、上記特許文献１と特許文献２と特許文献３と特許文献４では、女性の局部に直接対面する生理用ナプキンの中心付近の圧搾条溝に関しての記載がされていない。また特許文献１と特許文献２と特許文献３に関しては、圧搾条溝からギャザーまでの区間において経血などの体液の横漏れ防止機能に関しての記載がなされていない。
【先行技術文献】
【特許文献】
【０００８】
【特許文献１】特開２０００−８３９９４号公報
【特許文献２】特開平９−１０８２６２号公報
【特許文献３】特開平９−１６８５６３号公報
【特許文献４】特開２００９−８２４７９号公報
【発明の概要】
【発明が解決しようとする課題】
【０００９】
そこで、本発明は、生理用ナプキンの現状を鑑み、女性の生理期間において生理用ナプキンを女性用下着であるショーツに装着着用するにあたり、生理用ナプキンを装着着用した女性が日々の生活における歩いたり座ったりなどの行動した時に生理用ナプキンがずれたり生理用ナプキン上に不必要なシワが生じ密着性が下がり生理用ナプキンから経血が漏れたりする事を防ぐとともにできるだけ密着性を高め違和感なく装着することのできる生理用ナプキンを提供することを目的としている。
【課題を解決するための手段】
【００１０】
本発明では、上記課題を解消すべく、
１．体内から排出された体液を浸透させる体液透液性表面シートと前記体内から排出された体液を吸収する吸収体と前記体内から排出された体液を透過させない体液不透過性裏面シートにて構成され、左右両側縁部それぞれ長さ方向に前記体液透液性表面シートから前記吸収体に向けて圧搾された第１圧搾条溝が設けられている生理用ナプキンにおいて、前記生理用ナプキン両側縁部に設けられた左右前記第１圧搾条溝に挟まれた区間内の中心に対面する排泄器官である女性局部の形状に沿うように縦方向に前記体液透液性表面シートから前記吸収体に向けて圧搾された第２圧搾条溝を設けることを特徴としている。
２．前記第２圧搾条溝の溝の幅が０．１mm〜２mmあることを特徴としている。
３．前記生理用ナプキンにおいて対面する女性局部前後の末端を前記第２圧搾条溝の末端とし、この前記第２圧搾条溝の前後末端２箇所において、前記第２圧搾条溝の末端を中心点として前記生理用ナプキンの左右両端にある前記第１圧搾条溝に沿うように半楕円状とした前記体液透液性表面シートから前記吸収体に向けて圧搾された第３圧搾条溝を設けることを特徴としている。
４．前記第３圧搾条溝の溝の幅が０．１mm〜２mmであることを特徴としている。
５．前記生理用ナプキンの左右両端に設けられている台形状の形としたウイング部分が設けられているウイング式生理用ナプキンにおいて、左右にある前記ウイング部分の斜めにカットされている前記ウイング前後両端のラインの延長線上にあり前記体液透液性表面シートの端に接した前後左右４箇所の点をｉ点とし、腹部側に対面する左右２箇所のｉ点同士を結び外側に向けて弧を描く曲線とし、尻側に対面する左右２箇所のｉ点同士を結び外側に向けて弧を描く曲線とした前記体液透液性表面シートから前記吸収体に向けて圧搾された第４圧搾条溝を設けることを特徴としている。
６．前記第４圧搾条溝の溝の幅が０．１mm〜２mmであることを特徴としている。
【発明の効果】
【００１１】
請求項１と請求項２に記載の発明によれば、生理用ナプキンの両側縁部に設けられた左右第１圧搾条溝に挟まれた区間内の中心に対面する排泄器官である女性局部の形状に沿うように縦方向に体液透液性表面シートから吸収体に向けて圧搾された第２圧搾条溝を設けたことの効果により、生理用ナプキンの吸収体が排泄器官である女性局部により密着し体の挙動変化に対しても追従する機構となっているため排出された経血を効率的に吸着し経血の横漏れと吸収体が身体から離れにくくなり生理用ナプキン装着時の違和感が解消される。
【００１２】
請求項３と請求項４に記載の発明によれば、請求項１と請求項２に記載の発明を実施するにあたり、第２圧搾条溝の前後末端２箇所において、第２圧搾条溝の末端を中心点として生理用ナプキンの左右両端にある第１圧搾条溝に沿うように半楕円状とした体液透液性表面シートから吸収体に向けて圧搾された第３圧搾条溝を設けることにより、生理用ナプキンの着用者が立ったり座ったり歩いたりしたときの挙動変化に対して生理用ナプキンが柔軟に追従できるよう構造とすることができ、生理用ナプキン着用時の違和感と経血漏れ解消することができる。
【００１３】
請求項５と請求項６に記載の発明によれば、生理用ナプキンの左右にあるウイング部分の斜めにカットされているウイング前後両端のラインの延長線上にあり体液透液性表面シートの端に接した前後左右４箇所の点をｉ点とし、腹部側に対面する左右２箇所のｉ点同士を結び外側に向けて弧を描く曲線とし、尻側に対面する左右２箇所のｉ点同士を結び外側に向けて弧を描く曲線とした体液透液性表面シートから吸収体に向けて圧搾された第４圧搾条溝を設けることにより、第４圧搾条溝を境にして生理用ナプキンは前段部分と女性用局部対面部と後段部分の３分割となり生理用ナプキンが対面する身体側の弧を描く曲線に追従できる構造となり身体の挙動変化に対しても追従でき生理用ナプキンの密着度を高め経血防止と着用時の違和感を解消することができる。
【図面の簡単な説明】
【００１４】
【図１】ウイングタイプ生理用ナプキン
【図２】圧搾条溝の断面図
【図３】断面Ａ−Ｂ間の断面図
【図４】第２圧搾条溝と第３圧搾条溝の作用を説明した図
【図５】断面Ｃ−Ｄ間の断面図
【発明を実施するための形態】
【００１５】
図１は本発明のおける生理用ナプキンの両端にショーツなどの下着へ固定させるため設けられたウイング機構を備えたウイングタイプ生理用ナプキンの着用面である肌側から見た図である。説明の便宜上、図１では生理用ナプキンを伸ばした状態としている。図３では図１の横方向の断面Ａ−Ｂを示し、図５は図１の縦方向断面Ｃ−Ｄ間を示している。生理用ナプキン２では通常、基本的構造として肌に直接当たる体液透過させる液透過性表面シート５と次に経血などの体から排出された体液を吸収する吸収体４とショーツなどの下着に対面し固定される液不透過性裏面シート３の３段階構造となっている。さらに生理用ナプキン２の両端部には経血などの体液の横漏れ防止するために肌側に向けて起立ギャザー７が設けられている。生理用ナプキン２を構成する弾性部材の説明と液透過性表面シート５と吸収体４と液不透過性裏面シート３の材質などの細目の説明は省略する。本発明においては便宜上の点から人体の肌に接する面を生理用ナプキン表面側と述べ、ショーツなどの下着に接する面を生理用ナプキン裏面側と述べる。又ウイング部分６を除く部分を生理用ナプキン本体と呼称する。
【００１６】
生理用ナプキン２の裏面側である液不透過性裏面シート３の外周の形状は、図１に示すようにナプキン本体部分とウイング部分６とを含む外周を一巡する形となっている。この液不透過性裏面シート３の上に吸収体４が備えられ、その吸収体４の形状は本体のナプキン２よりも小さく形取られた形状でありナプキン本体の内側に備えられている。吸収体４の横幅は生理用ナプキン２上の左右に備わっている起立ギャザー７の外側の端まである。吸収体４の前後の長さは液透過性表面シート５よりも短く図１では破線で示している。その吸収体４の上に液透過性表面シート５が備えられ液透過性表面シート５の外周の形状は液不透過性裏面シート３と同じ外周の形状としている。液透過性裏面シート５の上の左右２箇所の位置にはには起立ギャザー７が備えられている。起立ギャザー７の形状は本体ナプキンの前端から後端に向けて縦方向に細長い形状としており、ギャザー機構７として１枚のギャザーの生地を折り返し複数段重なった形状とする事によってギャザー機能を持たせている。一般的なウイング機構６が備わったウイングタイプ生理用ナプキンでは、ショーツなどの下着の肌側に固定させる目的から液不透過性裏面シート３のショーツなどの下着に対面する面には、粘着剤が塗布されている。この粘着剤にて生理用ナプキン２をショーツなどの下着の肌側に生理用ナプキン２がずれないように固定させている。さらにウイング機構６が備わったウイングタイプ生理用ナプキンでは、生理用ナプキン本体の左右両端に設けられている台形状の形としたウィング部分６が設けられている。ウイング部分６の機能は、生理用ナプキンの本体がショーツなどの下着の肌側に固定されるとショーツなどの下着を挟み込むように折り返されショーツなどの下着に対面するウイング部分６に塗布された粘着剤でショーツなど下着へ固定させている。ナプキン本体の左右には長手方向つまり縦方向に向けて一対の圧搾条溝が設けられており腹部側末端と尻側末端にて楕円状なって一周する形態となっている。本発明の説明においては便宜上この圧搾条溝を第１圧搾条溝１０と呼称する。
【実施例１】
【００１７】
実施例１について図１〜図４に従って説明する。第１圧搾条溝１０は、生理用ナプキン本体２の左右両側縁部には、それぞれ長さ方向に体液透液性表面シートから吸収体に向けて圧搾された第１圧搾条溝１０が設けられている。生理用ナプキン２を女性が着用すると生理用ナプキン２を縦方向から見てウイング機構６が備わっている縦幅かつ生理用ナプキン両側縁部に設けられた第１圧搾条溝１０に挟まれた中心には縦方向に排泄器官である女性局部が対面にする。この女性局部の縦方向に沿うように体液透液性表面シート５から吸収体４に向けて圧搾された第２圧搾条溝１１を設けている。この第２圧搾条溝１１の縦方向の長さは対面する女性局部縦方向をおよその長さとしている。第２圧搾条溝１１の前後の末端を第２圧搾条溝１１の末端とし、この第２圧搾条溝１１の前後末端２箇所にはこの点を基点とした半楕円状とした体液透液性表面シート５から吸収体４に向けて圧搾された第３圧搾条溝１２を設けている。第２圧搾条溝１２の腹側前端では生理用ナプキン２の表側左右に設けられた第１圧搾条溝１０に沿うように腹部側に開いた形態としている。一方、第２圧搾条溝１１の尻側後端では第１圧搾条溝１０に沿うように尻側に開いた形態としている。第２圧搾条溝１１と第３圧搾条溝１３とも溝の幅は０．１mm〜２mmの範囲内に設定されている。設定値に関しては着用者の使用用途によって決定される。図２では第１圧搾条溝、第２圧搾条溝、第３圧搾条溝、第４圧搾条溝の各圧搾条溝８について断面図で示している。図２では、生理用ナプキン２を身体への装着前の平らに伸ばした状態の圧搾条溝である。生理用ナプキン２を身体へ装着し生理用ナプキン２が身体に合わせて湾曲するとこの圧搾条溝８の溝部分が押し潰された形に溝の幅が狭まる。
【００１８】
次に第２圧搾条溝１１の作用と効果について説明する。図１の生理用ナプキンを着用する前の真っ平らに伸ばしたときの断面図で示すように、第１圧搾条溝、第２圧搾条溝、第３圧搾条溝、第４圧搾条溝は体液透液性表面シート５から吸収体４に向けて圧搾されており、図２で示すように圧搾した分だけ谷間が出来ている。その谷間はＵ字型になっている。一般的にショーツなどの下着を着用した時にショーツの上から見るとその形状は楕円状となっているが、立ったり座ったり歩いたりするなどの挙動変化によってその形状は変化する。女性が生理期間中にショーツなどの下着内に生理用ナプキン２を装着し、その上にショーツなどの下着を着用しても同じ傾向となる。従来の第１圧搾条溝１０が備わっている生理用ナプキン２では、生理用ナプキン２の表側体液透液性表面シート５上の左右に圧搾した第１圧搾条溝１０を設けて、第１圧搾条溝１０の溝の幅が狭まりることによって生理用ナプキン２を湾曲しやくさせて密着性高め経血漏れ防止を向上させている。生理用ナプキン２を着用した女性はいつも同じ姿勢をしていることはなく立ったり座ったり歩いたり挙動変化は絶えず著しい。この時に第１圧搾条溝１０だけでは追従することは難しくなり着用時間の経過と共に中央部分にて捻れが起きシワが生じてくる。経血排出器官である女性局部周辺に不必要なシワが発生するとこのシワによって隙間ができ排出された経血はそのシワの隙間を辿って経血漏れを生じさせることにもなりかねない。また生理用ナプキン２の中央付近のシワは生理用ナプキンの横ズレをなどが起きやすくなり、生理用ナプキン２からの経血漏れの原因にもなりかねない。従来の第１圧搾条溝１０だけでは全てを対応する事が難しい。本発明の第２圧搾条溝１１は経血排出器官である女性局部が直接対面する中心付近に着目している。女性局部の縦方向に沿うように体液透液性表面シート５から吸収体４に向けて圧搾された第２圧搾条溝１１を設けて、この第２圧搾条溝１１の縦方向の長さは対面する女性局部縦方向をおよその長さとしている。第２圧搾条溝１１の幅を０．１mm〜２mmの範囲内に設定することによって第２圧搾条溝１１は第１圧搾条溝１０と同じく谷間をＵ字型にする事が出来る。第２圧搾条溝１１のＵ字型の谷間が狭まることによって中折れができて左右にある第１圧搾条溝１０に挟まれた領域内でも湾曲し易い状況を形成し生理用ナプキン２の中央部分の体液透液性表面シート５と吸収体４との逃げ道を任意的に作る事によって図３で示すような生理用ナプキン２の横方向Ａ−Ｂ間が弧を描く楕円状に形成し易い状態を作り出すことができる。図３で示すように生理用ナプキン２の横方向Ａ−Ｂ間が弧を描く楕円状に形成し易い状態を作り出せれば、生理用ナプキン２を着用した女性の挙動変化に伴って生理用ナプキン２の横方向Ａ−Ｂ間がどのような楕円状の形状になっても追従できる構造とすることができる。この効果により生理用ナプキン２の中央付近での女性局部との密着性が高まり経血漏れの防止を向上させることができる。
【００１９】
次に第３圧搾条溝１２の効果と作用について説明する。代表として第２圧搾条溝１１の腹側前端に設けられた第３圧搾条溝１２を例にして説明する。図４は生理用ナプキンを女性が着用した時の腹部側における第２圧搾条溝と第３圧搾条溝の作用と効果を説明した図である。図４で示すように第３圧搾条溝１２は、第２圧搾条溝１１の腹側前端の末端を基点として半楕円状とした体液透液性表面シート５から吸収体４に向けて圧搾された第３圧搾条溝１２が設けられている。第３圧搾条溝１２は生理用ナプキン２の表側左右に設けられた第１圧搾条溝１０に沿うように腹部側に開いた形態としている。第３圧搾条溝１２の溝の幅は０．１mm〜２mmの範囲内に設定されている。設定値に関しては着用者の使用用途によって決定される。
【００２０】
生理用ナプキンを着用した女性の挙動変化が大きい歩行する時を一例にして説明する。歩き始めるとき前に出した足と出していない足との間つまり股間部分では肌が若干湾曲し捩れる。右足が出れば股間部分では肌が少し斜めに湾曲し捩れ、左足が出れば肌は少し左斜めに湾曲し捩れる。歩くときこれが交互に行われる。生理用ナプキン２はショーツなどの布製の生地よりも厚く一枚の布の比べて柔軟性に貧しい。このように歩行が続くと生理用ナプキン２の肌に接する表面には追従すべく自然とシワが発生しする。そのシワは生理用ナプキン２の着用者の状況または着用状態によってどのようなシワになるかはまちまちである。不必要なシワが発生するとこのシワによって隙間ができ女性局部から排出された経血はそのシワの隙間を辿って経血漏れを生じさせている。また生理用ナプキンの不必要なシワは生理用ナプキン２の横ズレをなどが起きてこれも経血漏れの原因ともなっている。本発明の第３圧搾条溝１２は歩行などによって肌が湾曲した時にどのような力が柔軟性が貧しい生理用ナプキン２の表面に起きるかを着目している。図４では生理用ナプキン２を装着した女性が歩行するときに右足を前に出した状態を示し、右足が前にでることによって矢印方向Ｋに肌が少し湾曲した捩れた時の本発明の生理用ナプキンの作用を説明している。第３圧搾条溝１２は体液透液性表面シート５から吸収体４に向けて圧搾した分だけ谷間が出来ている。その谷間はＵ字型になっている。歩行などで股間が少し湾曲して捩れる時は股間の中心が最も大きく足の方へと離れるに従い弱くなる。本発明では第２圧搾条溝１１と第３圧搾条溝１２を設けることにより図４に示すとおり３分割とすることが出来る。それぞれの区域をＧ区域、Ｈ区域、Ｊ区域と呼称する。矢印方向Ｋに肌が少し湾曲し捩れるとＧ区域が最も捩れ、第３圧搾条溝１２にて対面するＨ区域との境界にある第３圧搾条溝１２のＵ字型とした溝にて圧縮と中折れが起きて緩衝効果を得ることが出来る。同時にＨ区域とＪ区域の境界の第３圧搾条溝１２でも同じようにＵ字型の溝にて圧縮と中折れが起きるがＧ区域とＨ区域が接する第３圧搾条溝の圧縮よりも弱くなる。第３圧搾条溝１２によって意図的に３分割され第３圧搾条溝１２のＵ字型の溝にて圧縮力を吸収し対面するＨ区域さらにＪ区域にて支え合う緩衝効果の役割をはたしている。従ってＧ区域が最も捩れ、Ｈ区域からＪ区域に向かうにつれて弱くなる。意図的に第３圧搾条溝のＵ字型とした溝を設けることにより、矢印方向Ｋに肌が少し湾曲して捩れても生理用ナプキン２の表面に不必要なシワを抑制でき、不必要なシワによってできる隙間による経血漏れと生理用ナプキンの横ズレ防止効果を得ることが出来る。左足の場合はこれと全く逆となり、上記の説明のＧ区域がＪ区域にＪ区域がＧ区域に入れ替わる。
【実施例２】
【００２１】
実施例２について図１と図５に従って説明する。図１に示すウイング式生理用ナプキン２は、生理用ナプキン本体の左右両端に設けられている台形状の形としたウイング部分６が設けられている。台形状の形としたウイング部分６の形状は外側の縦方向は生理用ナプキン本体と平行の直線となっているがウイング部分６がナプキン本体に接している縦方向の距離よりも短くなっている。ウイング部分６の外側縦方向の前後の末端から外側に向けて斜めに直線にてナプキン本体に接している。このウイング部分６の前後両端の斜めにカットされているウイング部分６の前後両端の延長線上にあり生理用ナプキン２の体液透液性表面シート５に接した点をｉ点とする。ウイング部分６は生理用ナプキン２の左右にありこのウイング部分６の前後を延長し体液透液性表面シート５に接する箇所は腹部側左右に２点と尻側左右に２点の計４点のｉ点が存在する。腹部側に位置する左右２箇所のｉ点を外側に弧を描いた曲線で結び、体液透液性表面シート５から吸収体４に向けて圧搾した第４圧搾条溝を設ける。尻側においても尻側左右２箇所のｉ点を外側に弧を描いた曲線で結び、体液透液性表面シート５から吸収体４に向けて圧搾した第４圧搾条溝１３を設ける。第４圧搾条溝１３の溝の幅は０．１mm〜２mmに設定されており、第４圧搾条溝１３の溝の形は図２で示すようなＵ字型としたて谷間となっている。
【００２２】
次に第２実施例について作用と効果について説明する。図５は図１でのＣ−Ｄ間の断面図である。図５は生理用ナプキン２を女性が装着したと想定した図である。第４圧搾条溝１３を境にして第４圧搾条溝１３が中折れ機能を果たし、生理用ナプキンはＣ−Ｄ間の断面図にて示すように前部中間部後部の３分割された構造となる。
【００２３】
生理用ナプキン２が対面する女性の局部の前後は起伏がある。ナプキン２を前部中間部後部の３分割にすることによってそれぞれの生理用ナプキン２が対面する身体の起伏に対応するようにしている。また生理用ナプキン２を女性が装着する身体の股間部分は弧を描いており生理用ナプキン２を前部中間部後部の３分割にすることによって生理用ナプキン２自体が身体に合わせて弧を描くような形態としている。生理用ナプキン２を着用した女性はいつも同じ姿勢をしていることはなく立ったり座ったり歩いたり挙動変化は絶えず著しい。生理用ナプキン２を着用するとＣ−Ｄ間は楕円状になるがその形状変化は女性の行動に伴って変わりやすい。着用時間の経過と共に生理用ナプキン上には形状の変化に対応するためにシワが生じてくる。本発明の第４圧搾条溝によって意図的に前部中間部後部の３分割された構造とすることによって生理用ナプキン２にかかる負荷を受け止めてシワの発生箇所を抑制したり誘導させたりできれば不必要なシワによって隙間ができ排出された経血はそのシワの隙間を辿って起きる経血漏れを抑制させることができる。また生理用ナプキン２の不必要なシワによって生じる生理用ナプキン２のズレなどが起きにくくなり、生理用ナプキンのズレに伴う経血漏れも抑制することができる。
【産業上の利用可能性】
【００２４】
本発明は、生理用ナプキンを製造する産業で利用される。
【符号の説明】
【００２５】
２  生理用ナプキン
３  液不透過性裏面シート
４  吸収体
５  体液透液性表面シート
６  ウイング部分
７  起立ギャザー
８  圧搾条溝
１０  第１圧搾条溝
１１  第２圧搾条溝
１２  第３圧搾条溝
１３  第４圧搾条溝
ｉ点  
【図１】
2018157959.tif 000003
【図２】
2018157959.tif 000004
【図３】
2018157959.tif 000005
【図４】
2018157959.tif 000006
【図５】
2018157959.tif 000007
【手続補正書】
【提出日】平成29年9月13日(2017.9.13)
【手続補正１】
【補正対象書類名】明細書
【補正対象項目名】全文
【補正方法】変更
【補正の内容】
【発明の詳細な説明】
【技術分野】
【０００１】
本発明は、女性の生理において排出される経血を吸収保持する生理用ナプキンに関するものである。
【背景技術】
【０００２】
女性特有の生理において体内から排出される体液である経血を吸収保持する生理用ナプキンは、生理に伴う経血による不快感の改善や生理期間中であっても何不便無く行動できるように経血の吸収性能の向上と経血漏れ対策と装着感が向上された製品が多種開発されてきている。経血の吸収性能の向上から女性局部への生理用ナプキンの密着性を高める為に長さ方向に一対の圧搾条溝を設ける事で体の動きに伴って生じる生理用ナプキンへの捩れに対応することができる。
【０００３】
例えば特許文献１にはナプキンの両側縁部それぞれには表面シートとコアとが裏面シートへ向かってくぼむことによりナプキンの縦方向へ延びる圧搾条溝が形成され、圧搾条溝どうしの間では、ナプキンが表面シートを内側にして縦方向に湾曲したときに、ナプキンの厚み方向において弾性部材の上方に位置する部位が弾性部材の収縮の伴って上方へ移動できるように上方に位置する部位が弾性部材の下方に位置する部位から分離する可能に形成されている生理用ナプキンが提示されている。
【０００４】
特許文献２にはナプキンのコアが位置する領域の上面両側にその長さ方向に延びるとともにその中央部において間隔が狭くなった一対の圧搾条溝を有し、その圧搾条溝は底面の長さ方向へ交互に並列する高圧搾部と低圧搾部を有する圧搾条溝が形成されている生理用ナプキンが提示されている。
【０００５】
特許文献３ではナプキンを構成する吸収性物品は、その表面における左右両側において側縁から内方に向けて一対の疎生性領域が形成され、疎生性領域は吸収性物品の長手方向に沿って形成された連続又は非連続の防漏溝を有し、さらに疎生性領域は、吸収性物品の表面における左右両側にバックシートである防漏溝シートが配され形成されている生理用ナプキンが提示されている。
【０００６】
特許文献４では、両側部上にそれぞれ起立ギャザーが備えられたナプキンにおいて、起立ギャザーが、それぞれ起立基端から外方向に突出する内側起立ギャザーと起立基端が内側起立ギャザーの起立基端よりも外側に位置し、内側起立ギャザーよりも上方まで突出するとともに、少なくともこの上方に突出する部位の突出方向が内方向である外側起立ギャザーで構成される生理用ナプキンが提示されている。
【０００７】
ところが、上記特許文献１と特許文献２と特許文献３と特許文献４では、女性の局部に直接対面する生理用ナプキンの中心付近の圧搾条溝に関しての記載がされていない。また特許文献１と特許文献２と特許文献３に関しては、圧搾条溝からギャザーまでの区間において経血などの体液の横漏れ防止機能に関しての記載がなされていない。
【先行技術文献】
【特許文献】
【０００８】
【特許文献１】特開２０００−８３９９４号公報
【特許文献２】特開平９−１０８２６２号公報
【特許文献３】特開平９−１６８５６３号公報
【特許文献４】特開２００９−８２４７９号公報
【発明の概要】
【発明が解決しようとする課題】
【０００９】
そこで、本発明は、生理用ナプキンの現状を鑑み、女性の生理期間において生理用ナプキンを女性用下着であるショーツに装着着用するにあたり、生理用ナプキンを装着着用した女性が日々の生活における歩いたり座ったりなどの行動した時に生理用ナプキンがずれたり生理用ナプキン上に不必要なシワが生じ密着性が下がり生理用ナプキンから経血が漏れたりする事を防ぐとともにできるだけ密着性を高め違和感なく装着することのできる生理用ナプキンを提供することを目的としている。
【課題を解決するための手段】
【００１０】
本発明では、上記課題を解消すべく、
１．体内から排出された体液を浸透させる体液透液性表面シートと前記体内から排出された体液を吸収する吸収体と前記体内から排出された体液を透過させない体液不透過性裏面シートにて構成され、左右両側縁部それぞれ長さ方向に前記体液透液性表面シートから前記吸収体に向けて圧搾された第１圧搾条溝が設けられている生理用ナプキンにおいて、前記生理用ナプキン両側縁部に設けられた左右前記第１圧搾条溝に挟まれた区間内の中心に対面する排泄器官である女性局部の形状に沿うように縦方向に前記体液透液性表面シートから前記吸収体に向けて圧搾された第２圧搾条溝を設けることを特徴としている。
２．前記第２圧搾条溝の溝の幅が０．１mm〜２mmであることを特徴としている。
３．前記生理用ナプキンにおいて対面する女性局部前後の末端を前記第２圧搾条溝の末端とし、この前記第２圧搾条溝の前後末端２箇所において、前記第２圧搾条溝の末端を中心点として前記生理用ナプキンの左右両端にある前記第１圧搾条溝に沿うように半楕円状とした前記体液透液性表面シートから前記吸収体に向けて圧搾された第３圧搾条溝を設けることを特徴としている。
４．前記第３圧搾条溝の溝の幅が０．１mm〜２mmであることを特徴としている。
５．前記生理用ナプキンの左右両端に設けられている台形状の形としたウイング部分が設けられているウイング式生理用ナプキンにおいて、左右にある前記ウイング部分の斜めにカットされている前記ウイング前後両端のラインの延長線上にあり前記体液透液性表面シートの端に接した前後左右４箇所の点をｉ点とし、腹部側に対面する左右２箇所のｉ点同士を結び外側に向けて弧を描く曲線とし、尻側に対面する左右２箇所のｉ点同士を結び外側に向けて弧を描く曲線とした前記体液透液性表面シートから前記吸収体に向けて圧搾された第４圧搾条溝を設けることを特徴としている。
６．前記第４圧搾条溝の溝の幅が０．１mm〜２mmであることを特徴としている。
【発明の効果】
【００１１】
請求項１に記載の発明によれば、生理用ナプキンの両側縁部に設けられた左右第１圧搾条溝に挟まれた区間内の中心に対面する排泄器官である女性局部の形状に沿うように縦方向に体液透液性表面シートから吸収体に向けて圧搾された第２圧搾条溝を設け、第２圧搾条溝の前後末端２箇所において、第２圧搾条溝の末端を中心点として生理用ナプキンの左右両端にある第１圧搾条溝に沿うように半楕円状とした体液透液性表面シートから吸収体に向けて圧搾された第３圧搾条溝を設けるとともに生理用ナプキンの左右にあるウイング部分の斜めにカットされているウイング前後両端のラインの延長線上にあり体液透液性表面シートの端に接した前後左右４箇所の点をｉ点とし、腹部側に対面する左右２箇所のｉ点同士を結び外側に向けて弧を描く曲線とし、尻側に対面する左右２箇所のｉ点同士を結び外側に向けて弧を描く曲線とした体液透液性表面シートから吸収体に向けて圧搾された第４圧搾条溝を設けることにより、第４圧搾条溝を境にして生理用ナプキンは前段部分と女性用局部対面部と後段部分の３分割となり生理用ナプキンが対面する身体側の弧を描く曲線に追従できる構造となり、これらの効果と作用により生理用ナプキンの着用者が立ったり座ったり歩いたりしたときの挙動変化に対して生理用ナプキンが柔軟に追従できるよう構造とすることができ、生理用ナプキン着用時の違和感と排出された経血を効率的に吸着し経血の横漏れと吸収体が身体から離れにくくなり経血漏れ解消することができる。
【図面の簡単な説明】
【００１２】
【図１】ウイングタイプ生理用ナプキン
【図２】圧搾条溝の断面図
【図３】断面Ａ−Ｂ間の断面図
【図４】第２圧搾条溝と第３圧搾条溝の作用を説明した図
【図５】断面Ｃ−Ｄ間の断面図
【発明を実施するための形態】
【００１３】
図１は本発明のおける生理用ナプキンの両端にショーツなどの下着へ固定させるため設けられたウイング機構を備えたウイングタイプ生理用ナプキンの着用面である肌側から見た図である。説明の便宜上、図１では生理用ナプキンを伸ばした状態としている。図３では図１の横方向の断面Ａ−Ｂを示し、図５は図１の縦方向断面Ｃ−Ｄ間を示している。生理用ナプキン２では通常、基本的構造として肌に直接当たる体液透過させる液透過性表面シート５と次に経血などの体から排出された体液を吸収する吸収体４とショーツなどの下着に対面し固定される液不透過性裏面シート３の３段階構造となっている。さらに生理用ナプキン２の両端部には経血などの体液の横漏れ防止するために肌側に向けて起立ギャザー７が設けられている。生理用ナプキン２を構成する弾性部材の説明と液透過性表面シート５と吸収体４と液不透過性裏面シート３の材質などの細目の説明は省略する。本発明においては便宜上の点から人体の肌に接する面を生理用ナプキン表面側と述べ、ショーツなどの下着に接する面を生理用ナプキン裏面側と述べる。又ウイング部分６を除く部分を生理用ナプキン本体と呼称する。
【００１４】
生理用ナプキン２の裏面側である液不透過性裏面シート３の外周の形状は、図１に示すようにナプキン本体部分とウイング部分６とを含む外周を一巡する形となっている。この液不透過性裏面シート３の上に吸収体４が備えられ、その吸収体４の形状は本体のナプキン２よりも小さく形取られた形状でありナプキン本体の内側に備えられている。吸収体４の横幅は生理用ナプキン２上の左右に備わっている起立ギャザー７の外側の端まである。吸収体４の前後の長さは液透過性表面シート５よりも短く図１では破線で示している。その吸収体４の上に液透過性表面シート５が備えられ液透過性表面シート５の外周の形状は液不透過性裏面シート３と同じ外周の形状としている。液透過性裏面シート５の上の左右２箇所の位置にはには起立ギャザー７が備えられている。起立ギャザー７の形状は本体ナプキンの前端から後端に向けて縦方向に細長い形状としており、ギャザー機構７として１枚のギャザーの生地を折り返し複数段重なった形状とする事によってギャザー機能を持たせている。一般的なウイング機構６が備わったウイングタイプ生理用ナプキンでは、ショーツなどの下着の肌側に固定させる目的から液不透過性裏面シート３のショーツなどの下着に対面する面には、粘着剤が塗布されている。この粘着剤にて生理用ナプキン２をショーツなどの下着の肌側に生理用ナプキン２がずれないように固定させている。さらにウイング機構６が備わったウイングタイプ生理用ナプキンでは、生理用ナプキン本体の左右両端に設けられている台形状の形としたウィング部分６が設けられている。ウイング部分６の機能は、生理用ナプキンの本体がショーツなどの下着の肌側に固定されるとショーツなどの下着を挟み込むように折り返されショーツなどの下着に対面するウイング部分６に塗布された粘着剤でショーツなど下着へ固定させている。ナプキン本体の左右には長手方向つまり縦方向に向けて一対の圧搾条溝が設けられており腹部側末端と尻側末端にて楕円状なって一周する形態となっている。本発明の説明においては便宜上この圧搾条溝を第１圧搾条溝１０と呼称する。
【実施例１】
【００１５】
実施例１について図１〜図４に従って説明する。第１圧搾条溝１０は、生理用ナプキン本体２の左右両側縁部には、それぞれ長さ方向に体液透液性表面シートから吸収体に向けて圧搾された第１圧搾条溝１０が設けられている。生理用ナプキン２を女性が着用すると生理用ナプキン２を縦方向から見てウイング機構６が備わっている縦幅かつ生理用ナプキン両側縁部に設けられた第１圧搾条溝１０に挟まれた中心には縦方向に排泄器官である女性局部が対面にする。この女性局部の縦方向に沿うように体液透液性表面シート５から吸収体４に向けて圧搾された第２圧搾条溝１１を設けている。この第２圧搾条溝１１の縦方向の長さは対面する女性局部縦方向をおよその長さとしている。第２圧搾条溝１１の前後の末端を第２圧搾条溝１１の末端とし、この第２圧搾条溝１１の前後末端２箇所にはこの点を基点とした半楕円状とした体液透液性表面シート５から吸収体４に向けて圧搾された第３圧搾条溝１２を設けている。第２圧搾条溝１２の腹側前端では生理用ナプキン２の表側左右に設けられた第１圧搾条溝１０に沿うように腹部側に開いた形態としている。一方、第２圧搾条溝１１の尻側後端では第１圧搾条溝１０に沿うように尻側に開いた形態としている。第２圧搾条溝１１と第３圧搾条溝１２とも溝の幅は０．１mm〜２mmの範囲内に設定されている。設定値に関しては着用者の使用用途によって決定される。図２では第１圧搾条溝、第２圧搾条溝、第３圧搾条溝、第４圧搾条溝の各圧搾条溝８について断面図で示している。図２では、生理用ナプキン２を身体への装着前の平らに伸ばした状態の圧搾条溝である。生理用ナプキン２を身体へ装着し生理用ナプキン２が身体に合わせて湾曲するとこの圧搾条溝８の溝部分が押し潰された形に溝の幅が狭まる。
【００１６】
次に第２圧搾条溝１１の作用と効果について説明する。図１の生理用ナプキンを着用する前の真っ平らに伸ばしたときの断面図で示すように、第１圧搾条溝、第２圧搾条溝、第３圧搾条溝、第４圧搾条溝は体液透液性表面シート５から吸収体４に向けて圧搾されており、図２で示すように圧搾した分だけ谷間が出来ている。その谷間はＵ字型になっている。一般的にショーツなどの下着を着用した時にショーツの上から見るとその形状は楕円状となっているが、立ったり座ったり歩いたりするなどの挙動変化によってその形状は変化する。女性が生理期間中にショーツなどの下着内に生理用ナプキン２を装着し、その上にショーツなどの下着を着用しても同じ傾向となる。従来の第１圧搾条溝１０が備わっている生理用ナプキン２では、生理用ナプキン２の表側体液透液性表面シート５上の左右に圧搾した第１圧搾条溝１０を設けて、第１圧搾条溝１０の溝の幅が狭まりることによって生理用ナプキン２を湾曲しやくさせて密着性高め経血漏れ防止を向上させている。生理用ナプキン２を着用した女性はいつも同じ姿勢をしていることはなく立ったり座ったり歩いたり挙動変化は絶えず著しい。この時に第１圧搾条溝１０だけでは追従することは難しくなり着用時間の経過と共に中央部分にて捻れが起きシワが生じてくる。経血排出器官である女性局部周辺に不必要なシワが発生するとこのシワによって隙間ができ排出された経血はそのシワの隙間を辿って経血漏れを生じさせることにもなりかねない。また生理用ナプキン２の中央付近のシワは生理用ナプキンの横ズレをなどが起きやすくなり、生理用ナプキン２からの経血漏れの原因にもなりかねない。従来の第１圧搾条溝１０だけでは全てを対応する事が難しい。本発明の第２圧搾条溝１１は経血排出器官である女性局部が直接対面する中心付近に着目している。女性局部の縦方向に沿うように体液透液性表面シート５から吸収体４に向けて圧搾された第２圧搾条溝１１を設けて、この第２圧搾条溝１１の縦方向の長さは対面する女性局部縦方向をおよその長さとしている。第２圧搾条溝１１の幅を０．１mm〜２mmの範囲内に設定することによって第２圧搾条溝１１は第１圧搾条溝１０と同じく谷間をＵ字型にする事が出来る。第２圧搾条溝１１のＵ字型の谷間が狭まることによって中折れができて左右にある第１圧搾条溝１０に挟まれた領域内でも湾曲し易い状況を形成し生理用ナプキン２の中央部分の体液透液性表面シート５と吸収体４との逃げ道を任意的に作る事によって図３で示すような生理用ナプキン２の横方向Ａ−Ｂ間が弧を描く楕円状に形成し易い状態を作り出すことができる。図３で示すように生理用ナプキン２の横方向Ａ−Ｂ間が弧を描く楕円状に形成し易い状態を作り出せれば、生理用ナプキン２を着用した女性の挙動変化に伴って生理用ナプキン２の横方向Ａ−Ｂ間がどのような楕円状の形状になっても追従できる構造とすることができる。この効果により生理用ナプキン２の中央付近での女性局部との密着性が高まり経血漏れの防止を向上させることができる。
【００１７】
次に第３圧搾条溝１２の効果と作用について説明する。代表として第２圧搾条溝１１の腹側前端に設けられた第３圧搾条溝１２を例にして説明する。図４は生理用ナプキンを女性が着用した時の腹部側における第２圧搾条溝と第３圧搾条溝の作用と効果を説明した図である。図４で示すように第３圧搾条溝１２は、第２圧搾条溝１１の腹側前端の末端を基点として半楕円状とした体液透液性表面シート５から吸収体４に向けて圧搾された第３圧搾条溝１２が設けられている。第３圧搾条溝１２は生理用ナプキン２の表側左右に設けられた第１圧搾条溝１０に沿うように腹部側に開いた形態としている。第３圧搾条溝１２の溝の幅は０．１mm〜２mmの範囲内に設定されている。設定値に関しては着用者の使用用途によって決定される。
【００１８】
生理用ナプキンを着用した女性の挙動変化が大きい歩行する時を一例にして説明する。歩き始めるとき前に出した足と出していない足との間つまり股間部分では肌が若干湾曲し捩れる。右足が出れば股間部分では肌が少し斜めに湾曲し捩れ、左足が出れば肌は少し左斜めに湾曲し捩れる。歩くときこれが交互に行われる。生理用ナプキン２はショーツなどの布製の生地よりも厚く一枚の布の比べて柔軟性に貧しい。このように歩行が続くと生理用ナプキン２の肌に接する表面には追従すべく自然とシワが発生しする。そのシワは生理用ナプキン２の着用者の状況または着用状態によってどのようなシワになるかはまちまちである。不必要なシワが発生するとこのシワによって隙間ができ女性局部から排出された経血はそのシワの隙間を辿って経血漏れを生じさせている。また生理用ナプキンの不必要なシワは生理用ナプキン２の横ズレをなどが起きてこれも経血漏れの原因ともなっている。本発明の第３圧搾条溝１２は歩行などによって肌が湾曲した時にどのような力が柔軟性が貧しい生理用ナプキン２の表面に起きるかを着目している。図４では生理用ナプキン２を装着した女性が歩行するときに右足を前に出した状態を示し、右足が前にでることによって矢印方向Ｋに肌が少し湾曲した捩れた時の本発明の生理用ナプキンの作用を説明している。第３圧搾条溝１２は体液透液性表面シート５から吸収体４に向けて圧搾した分だけ谷間が出来ている。その谷間はＵ字型になっている。歩行などで股間が少し湾曲して捩れる時は股間の中心が最も大きく足の方へと離れるに従い弱くなる。本発明では第２圧搾条溝１１と第３圧搾条溝１２を設けることにより図４に示すとおり３分割とすることが出来る。それぞれの区域をＧ区域、Ｈ区域、Ｊ区域と呼称する。矢印方向Ｋに肌が少し湾曲し捩れるとＧ区域が最も捩れ、第３圧搾条溝１２にて対面するＨ区域との境界にある第３圧搾条溝１２のＵ字型とした溝にて圧縮と中折れが起きて緩衝効果を得ることが出来る。同時にＨ区域とＪ区域の境界の第３圧搾条溝１２でも同じようにＵ字型の溝にて圧縮と中折れが起きるがＧ区域とＨ区域が接する第３圧搾条溝の圧縮よりも弱くなる。第３圧搾条溝１２によって意図的に３分割され第３圧搾条溝１２のＵ字型の溝にて圧縮力を吸収し対面するＨ区域さらにＪ区域にて支え合う緩衝効果の役割をはたしている。従ってＧ区域が最も捩れ、Ｈ区域からＪ区域に向かうにつれて弱くなる。意図的に第３圧搾条溝のＵ字型とした溝を設けることにより、矢印方向Ｋに肌が少し湾曲して捩れても生理用ナプキン２の表面に不必要なシワを抑制でき、不必要なシワによってできる隙間による経血漏れと生理用ナプキンの横ズレ防止効果を得ることが出来る。左足の場合はこれと全く逆となり、上記の説明のＧ区域がＪ区域にＪ区域がＧ区域に入れ替わる。
【実施例２】
【００１９】
実施例２について図１と図５に従って説明する。図１に示すウイング式生理用ナプキン２は、生理用ナプキン本体の左右両端に設けられている台形状の形としたウイング部分６が設けられている。台形状の形としたウイング部分６の形状は外側の縦方向は生理用ナプキン本体と平行の直線となっているがウイング部分６がナプキン本体に接している縦方向の距離よりも短くなっている。ウイング部分６の外側縦方向の前後の末端から外側に向けて斜めに直線にてナプキン本体に接している。このウイング部分６の前後両端の斜めにカットされているウイング部分６の前後両端の延長線上にあり生理用ナプキン２の体液透液性表面シート５に接した点をｉ点とする。ウイング部分６は生理用ナプキン２の左右にありこのウイング部分６の前後を延長し体液透液性表面シート５に接する箇所は腹部側左右に２点と尻側左右に２点の計４点のｉ点が存在する。腹部側に位置する左右２箇所のｉ点を外側に弧を描いた曲線で結び、体液透液性表面シート５から吸収体４に向けて圧搾した第４圧搾条溝を設ける。尻側においても尻側左右２箇所のｉ点を外側に弧を描いた曲線で結び、体液透液性表面シート５から吸収体４に向けて圧搾した第４圧搾条溝１３を設ける。第４圧搾条溝１３の溝の幅は０．１mm〜２mmに設定されており、設定値に関しては着用者の使用用途によって決定される。第４圧搾条溝１３の溝の形は図２で示すようなＵ字型とした谷間となっている。
【００２０】
次に第２実施例について作用と効果について説明する。図５は図１でのＣ−Ｄ間の断面図である。図５は生理用ナプキン２を女性が装着したと想定した図である。第４圧搾条溝１３を境にして第４圧搾条溝１３が中折れ機能を果たし、生理用ナプキンはＣ−Ｄ間の断面図にて示すように前部中間部後部の３分割された構造となる。
生理用ナプキン２が対面する女性の局部の前後は起伏がある。ナプキン２を前部中間部後部の３分割にすることによってそれぞれの生理用ナプキン２が対面する身体の起伏に対応するようにしている。また生理用ナプキン２を女性が装着する身体の股間部分は弧を描いており生理用ナプキン２を前部中間部後部の３分割にすることによって生理用ナプキン２自体が身体に合わせて弧を描くような形態としている。生理用ナプキン２を着用した女性はいつも同じ姿勢をしていることはなく立ったり座ったり歩いたり挙動変化は絶えず著しい。生理用ナプキン２を着用するとＣ−Ｄ間は楕円状になるがその形状変化は女性の行動に伴って変わりやすい。着用時間の経過と共に生理用ナプキン上には形状の変化に対応するためにシワが生じてくる。本発明の第４圧搾条溝によって意図的に前部中間部後部の３分割された構造とすることによって生理用ナプキン２にかかる負荷を受け止めてシワの発生箇所を抑制したり誘導させたりできれば不必要なシワによって隙間ができ排出された経血はそのシワの隙間を辿って起きる経血漏れを抑制させることができる。また生理用ナプキン２の不必要なシワによって生じる生理用ナプキン２のズレなどが起きにくくなり、生理用ナプキンのズレに伴う経血漏れも抑制することができる。
【産業上の利用可能性】
【００２１】
本発明は、生理用ナプキンを製造する産業で利用される。
【符号の説明】
【００２２】
２  生理用ナプキン
３  液不透過性裏面シート
４  吸収体
５  体液透液性表面シート
６  ウイング部分
７  起立ギャザー
８  圧搾条溝
１０  第１圧搾条溝
１１  第２圧搾条溝
１２  第３圧搾条溝
１３  第４圧搾条溝
【手続補正２】
【補正対象書類名】特許請求の範囲
【補正対象項目名】全文
【補正方法】変更
【補正の内容】
【特許請求の範囲】
【請求項１】
体液透液性表面シートと吸収体と撥水機能がある体液不透過性裏面シートにて構成され、左右両端に台形状の形としたウイング機構を備え、左右両側縁部それぞれ長さ方向に前記体液透液性表面シートから前記吸収体に向けて圧搾された第１圧搾条溝が設けられた生理用ナプキンにおいて、前記生理用ナプキン両側縁部に設けられた前記第１圧搾条溝に挟まれた区間内の中心に対面する排泄器官である女性局部の形状に沿うように縦方向に前記体液透液性表面シートから前記吸収体に向けて圧搾された第２圧搾条溝を設け、この前記第２圧搾条溝の前後末端２箇所に、前記第２圧搾条溝の末端を中心点として前記生理用ナプキンの左右両端にある前記第１圧搾条溝に沿うように半楕円状とした前記体液透液性表面シートから前記吸収体に向けて圧搾された第３圧搾条溝を設けるとともに、左右にある前記ウイング部分の斜めにカットされている前記ウイング前後両端のラインの延長線上にあり前記体液透液性表面シートの端に接した前後左右４箇所の点をｉ点とし、腹部側に対面する左右２箇所のｉ点同士を結び外側に向けて弧を描く曲線とし、尻側に対面する左右２箇所のｉ点同士を結び外側に向けて弧を描く曲線とした前記体液透液性表面シートから前記吸収体に向けて圧搾された第４圧搾条溝を設け、これら前記第２圧搾条溝と前記第３圧搾条溝と前記第４圧搾条溝の溝の幅が０．１mm〜２mmであることを特徴とする生理用ナプキン。